(57)【要約】【課題】取り付けを煩雑にすることなく、複数の作業者が同時に異なる作業を行うことを可能にする作業支援システムの表示器を提供する。【解決手段】表示器２０は、作業場において物品３２が収納されている棚３０の間口３１に設置され、作業に関する作業情報を表示し、作業情報を表示する表示面が設けられた複数の第１筐体４０と、複数の第１筐体４０に対応して複数の第１筐体４０を取り付けるための複数のスライド溝５１が形成され、複数の第１筐体４０が並び方向に並べて取り付けられる第２筐体５０とを備え、スライド溝５１では、幅が広い拡幅部５１ｂと幅が狭い狭幅部５１ａとが並び方向に隣接して位置し、複数の第１筐体４０は、それぞれスライド溝５１内において拡幅部５１ｂに係合された状態で並び方向の同じ向きに狭幅部５１ａにスライドさせることで第２筐体５０に取り付けられる。【選択図】図２
2015134665.tif 000002
【特許請求の範囲】
【請求項１】
ピッキング作業又は仕分け作業が行われる作業場においてピッキング又は仕分けされる物品が収納されている棚の間口に設置され、ピッキング作業又は仕分け作業に関する作業情報を表示する表示器であって、
前記作業情報を表示する表示面が設けられた複数の第１筐体と、
前記複数の第１筐体に対応して前記複数の第１筐体を取り付けるための複数のスライド溝が形成され、前記複数の第１筐体が並び方向に並べて取り付けられる第２筐体とを備え、
前記スライド溝では、幅が広い拡幅部と幅が狭い狭幅部とが並び方向に隣接して位置し、
前記複数の第１筐体は、それぞれ前記スライド溝内において前記拡幅部に係合された状態で前記並び方向の同じ向きに前記狭幅部にスライドさせることで前記第２筐体に取り付けられる
表示器。
【発明の詳細な説明】
【技術分野】
【０００１】
本発明は、工場及び倉庫等の作業場でのピッキング作業及び仕分け作業を支援するための作業支援システムの表示器に関する。
【背景技術】
【０００２】
従来から、工場及び倉庫等の作業場には部品及び商品等の物品が多種多量に保管されている。このような作業場で物品のピッキング作業及び仕分け作業が行われる場合、作業対象となる物品の種類や数量等を誤って作業が行われることがある。従って、このような事態を回避するため、作業支援システムが利用されている。作業支援システムにおいては、物品が収納されている棚の間口に対応して表示器が設置され、表示器を制御用コンピュータからの指示で点灯制御等することにより、作業の発生する間口が指示されると共に作業数量等が表示される。
【０００３】
作業支援システムの表示器を開示するものとして、例えば特許文献１がある。特許文献１の表示器は、背面側筐体と、これに回動可能に係合された前面側筐体とを備えている。そして、前面側筐体には、対応する間口がピッキング対象となっている場合に点灯するランプと、ピッキング数量を表示する数量表示部とが設けられている。
【先行技術文献】
【特許文献】
【０００４】
【特許文献１】特開２０１３−１８５５３号公報
【発明の概要】
【発明が解決しようとする課題】
【０００５】
ところで、従来の作業支援システムにおいては、表示器が間口毎に１つずつしか設けられておらず、複数の作業者が同時に異なる作業を行うことに対応していない。すなわち、第１間口に第１物品が収納され、第２間口に第２物品が収納された状態において、第１物品及び第２物品を１つずつピッキングする第１作業と、第１物品及び第２物品を２つずつピッキングする第２作業とを同時に行う場合を想定する。この場合、表示器は第１作業に対応した表示を行っている間は第２作業に対応した表示を行えないため、第１作業及び第２作業を同時に行うことはできない。
【０００６】
このような問題に対応する方法として、複数の表示器を間口毎に複数設けることが考えられるが、この方法では、表示器の設置において１つの間口に対して複数の表示器を取り付ける必要があるため、表示器の取り付けが煩雑になってしまう。
【０００７】
そこで、本発明は、かかる問題点に鑑み、取り付けを煩雑にすることなく、複数の作業者が同時に異なる作業を行うことを可能にする作業支援システムの表示器を提供することを目的とする。
【課題を解決するための手段】
【０００８】
上記目的を達成するために、本発明の一態様に係る作業支援システムの表示器は、ピッキング作業又は仕分け作業が行われる作業場においてピッキング又は仕分けされる物品が収納されている棚の間口に設置され、ピッキング作業又は仕分け作業に関する作業情報を表示する表示器であって、前記作業情報を表示する表示面が設けられた複数の第１筐体と、前記複数の第１筐体に対応して前記複数の第１筐体を取り付けるための複数のスライド溝が形成され、前記複数の第１筐体が並び方向に並べて取り付けられる第２筐体とを備え、前記スライド溝では、幅が広い拡幅部と幅が狭い狭幅部とが並び方向に隣接して位置し、前記複数の第１筐体は、それぞれ前記スライド溝内において前記拡幅部に係合された状態で前記並び方向の同じ向きに前記狭幅部にスライドさせることで前記第２筐体に取り付けられるを特徴とする。
【発明の効果】
【０００９】
本発明によれば、取り付けを煩雑にすることなく、複数の作業者が同時に異なる作業を行うことを可能にする作業支援システムの表示器を実現することができる。
【図面の簡単な説明】
【００１０】
【図１】本発明の実施形態に係る作業支援システムの全体構成を示す図である。
【図２】本発明の実施形態に係る作業支援システムの表示器の構成と組み立て方法とを示す斜視図である。
【図３】本発明の実施形態に係る作業支援システムの表示器の構成と組み立て方法とを示す背面である。
【図４】本発明の実施形態に係る表示器の立ち上がり板の係合部を示す拡大側面図である。
【発明を実施するための形態】
【００１１】
以下、本発明の実施形態について、図面を用いて詳細に説明する。
本発明の実施形態に係る作業支援システム１００の構成について、図１〜４を用いて説明する。
図１は、本実施形態に係る作業支援システム１００の全体構成を示す図である。
【００１２】
作業支援システム１００は、物品３２のピッキング作業又は仕分け作業（以下、単に「作業」という。）が行われる作業場に設置され、作業を支援するシステムである。作業支援システム１００は、物品３２が収納される複数の間口３１を備える棚３０に取り付けられ、作業に関する作業情報を表示する複数の表示器２０と、信号線を介して複数の表示器２０と接続され、複数の表示器２０を点灯制御する制御部１０とから構成されている。
【００１３】
制御部１０は、コンピュータ等であり、所定の制御プログラムを実行することにより、表示器２０を制御する制御命令を生成する。また、制御部１０は、制御命令に対する表示器２０からの応答を受信し、受信した応答に基づいて制御命令を生成し、再び表示器２０に送信する。制御部１０は、複数の表示器２０に対し、信号線を介して制御命令を送信すると共に、電力を供給する。
【００１４】
複数の表示器２０は、それぞれ作業の対象となる所望の間口３１を特定するために、個別のアドレスが設定され、複数の間口３１に対応して設けられている。表示器２０には、作業情報を表示する表示面として点灯ランプ４４が設けられていると共に数量を表示する数量表示部４３が設けられている。
【００１５】
点灯ランプ４４は、制御部１０からの制御命令に従って点灯し、表示器２０の取り付けられた棚３０が作業対象となっていることを示す。一方、数量表示部４３は、制御部１０からの制御命令に従って数字を表示し、表示器２０の取り付けられた棚３０への物品３２の収納数量又は棚３０からの取り出し数量等を示す。なお、点灯ランプ４４は表示器２０において凸状に設けられており、作業完了に従って作業者により押下されると点灯状態が解除されて消灯する。
【００１６】
図２は、本実施形態に係る作業支援システム１００の表示器２０の構成と組み立て方法とを示す斜視図である。図３は、本実施形態に係る作業支援システム１００の表示器２０の構成と組み立て方法とを示す背面図である。なお、図２（ｄ）及び図３（ｃ）は表示器２０の組み立て後の構成を示している。
まず、表示器２０の構成について図２及び図３を用いて説明する。
【００１７】
表示器２０は、点灯ランプ４４及び数量表示部４３と制御部１０との間の中継部としての回路基板及び配線（図外）を、例えば樹脂製の筐体内部に配置することにより構成されている。そして、表示器２０の筐体は、前方に位置し、並び方向に並んで設けられた複数の第１筐体４０と、後方に位置し、複数の第１筐体４０に結合される１つの第２筐体５０と、側方に位置し、第１筐体４０及び第２筐体５０に結合される２つの第３筐体６０とから構成されている。
【００１８】
第１筐体４０は、主面を前方に向けて設けられた板状部材を後方に向けて折り曲げて構成された側面視逆コ字状の板状部材である。第１筐体４０は、表示器２０の前面を構成する主板４２と、主板４２の上端部から後方に向かって略垂直に立ち上がり、表示器２０の上面を構成する立ち上がり板４５と、主板４２の下端部から後方に向かって略垂直に立ち上がり、表示器２０の下面を構成する立ち上がり板４６とを有する。
【００１９】
主板４２の中央部の前面には、点灯ランプ４４及び数量表示部４３が上下に並んで設けられており、数量表示部４３は点灯ランプ４４の上方に位置している。主板４２の後面には、回路基板及び配線（図外）が設けられている。立ち上がり板４５の後端部の下面には、第１筐体４０に係合する係合部４１が側面視Ｕ字状に設けられている。同様に、立ち上がり板４６の後端部の上面には、第２筐体５０に係合する係合部４１が側面視逆Ｕ字状に設けられている。
【００２０】
第２筐体５０は、主面が前方に向けて設けられ、並び方向に長手方向を持つ矩形の板状部材であり、表示器２０の筐体のベース部材である。第２筐体５０の短手方向の両端部、つまり上端部及び下端部には、第１筐体４０の係合部４１に係合するスライド溝５１が並び方向に並んで複数形成されている。第１筐体４０の立ち上がり板４５の係合部４１は、並び方向にスライド可能な状態で第２筐体５０の上端部のスライド溝５１と係合し、第１筐体４０の立ち上がり板４６の係合部４１は、並び方向にスライド可能な状態で第２筐体５０の下端部のスライド溝５１と係合する。
【００２１】
スライド溝５１は、第２筐体５０を前後方向に貫通し、並び方向に延びる溝である。スライド溝５１は、並び方向の左側に向かって溝幅（上下方向の幅）が狭くなっており、前面視で並び方向の左側に位置する狭幅部５１ａで溝幅（図２（ａ）のＷ１）が狭く、並び方向の右側に位置する拡幅部５１ｂで溝幅（図２（ａ）のＷ２）が広くなっている。
【００２２】
第３筐体６０は、主面が側方に向けて設けられ、上下方向に長手方向を持つ矩形の板状部材である。第３筐体６０は、複数の第２筐体５０と第１筐体４０とが結合されてなる筐体に対して、並び方向の両側の開口６０ａを完全に蓋する。
次に、表示器２０の組み立て方法について図２を用いて説明する。
【００２３】
表示器２０の組み立て方法においては、最初に、図２（ａ）及び図２（ｂ）に示されるように、１つ目の第１筐体４０が第２筐体５０に取り付けられる。この第１筐体４０の取り付け方法の詳細については、後述する。なお、第１筐体４０にはネジ止め等により回路基板及び配線（図外）が既に取り付けられているものとする。
【００２４】
続いて、図２（ａ）及び図２（ｂ）と同様の方法で、既に取り付けられた１つ目の第１筐体４０に並び方向で隣接するように、２つ目の第１筐体４０が第２筐体５０に取り付けられる。同様に、２つ目の第１筐体４０に隣接するように３つ目の第１筐体４０が、３つ目の第１筐体４０に隣接するように４つ目の第１筐体４０が、４つ目の第１筐体４０に隣接するように５つ目の第１筐体４０が第２筐体５０に取り付けられる。
【００２５】
続いて、図２（ｃ）及び図２（ｄ）に示されるように、複数の第１筐体４０が並び方向に並べて１つの第２筐体５０に取り付けられた状態の筐体に対して、並び方向の両側の開口６０ａに第３筐体６０を嵌合させる。これにより、表示器２０が完成する。
次に、第１筐体４０の第２筐体５０への取り付け方法の詳細について図３を用いて説明する。
【００２６】
最初に、図３（ａ）に示されるように、第１筐体４０が上下方向に押圧された状態で、第１筐体４０の係合部４１の後端部４１ａが第１筐体４０の対応するスライド溝５１に挿入される。
【００２７】
具体的に、第１筐体４０の立ち上がり板４５の上面が下方（図３（ａ）のＡ）に向けて押圧されると共に、第１筐体４０の立ち上がり板４６の下面が上方（図３（ａ）のＢ）に向けて押圧される。第１筐体４０は可撓性の樹脂で構成されており、主板４２は側面視く字状に折れ曲がる。この折れ曲がりにより、立ち上がり板４５の後端部４１ａが第２筐体５０の上端部におけるスライド溝５１の拡幅部５１ｂに挿入可能となると共に、立ち上がり板４６の後端部４１ａが第２筐体５０の下端部におけるスライド溝５１の拡幅部５１ｂに挿入可能となる。その後、立ち上がり板４５の後端部４１ａが第２筐体５０の上端部におけるスライド溝５１の拡幅部５１ｂに挿入されると共に、立ち上がり板４６の後端部４１ａが第２筐体５０の下端部におけるスライド溝５１の拡幅部５１ｂに挿入される。
【００２８】
なお、立ち上がり板４５及び４６の後端部４１ａは、図４の立ち上がり板４５及び４６の係合部４１の拡大側面図に示すように、第１筐体４０のスライド溝５１への挿入方向つまり後方に向かって後端部４１ａの上下方向の幅を狭める傾斜面を後端面４１ｂとして持つことが好ましい。これにより、第１筐体４０のスライド溝５１への挿入を容易に行うことが可能となる。
【００２９】
続いて、図３（ｂ）に示されるように、第１筐体４０に対する上下方向の押圧が解除されて第１筐体４０は元の形状に復元し、第１筐体４０の後端部４１ａが第２筐体５０の対応するスライド溝５１に引っ掛かって対応するスライド溝５１に係合される。
【００３０】
具体的に、第１筐体４０に対する押圧の解除により、第１筐体４０の主板４２の折り曲がりがなくなって立ち上がり板４５の後端部４１ａが上方（図３（ｂ）のＣ）に移動すると共に、立ち上がり板４６の後端部４１ａが下方（図３（ｂ）のＤ）に移動する。このとき、側面視において、立ち上がり板４５の後端部４１ａは係合部４１の上方に向かって立ち上がる部分であり、立ち上がり板４６の後端部４１ａは係合部４１の下方に向かって立ち上がる部分である。従って、この復元により、立ち上がり板４５の後端部４１ａが第２筐体５０の上端部におけるスライド溝５１の拡幅部５１ｂの上縁に引っ掛かると共に、立ち上がり板４６の後端部４１ａが第２筐体５０の下端部におけるスライド溝５１の拡幅部５１ｂの下縁に引っ掛かる。その結果、立ち上がり板４５の後端部４１ａが第２筐体５０の上端部におけるスライド溝５１の拡幅部５１ｂに係合されると共に、立ち上がり板４６の後端部４１ａが第２筐体５０の下端部におけるスライド溝５１の拡幅部５１ｂに係合される。
【００３１】
続いて、図３（ｃ）に示されるように、スライド溝５１に係合された状態の第１筐体４０が第２筐体５０に対して並び方向にスライドされ、係合部４１の一部がスライド溝５１の狭幅部５１ａ内に移動される。これにより、係合部４１の上下方向の移動が制限されて係合部４１のスライド溝５１に対する係合力が強化される。
【００３２】
具体的に、後面視で第１筐体４０の並び方向の右側（図３（ｃ）のE）へのスライドにより、立ち上がり板４５の後端部４１ａが第２筐体５０の上端部におけるスライド溝５１の狭幅部５１ａ内に移動すると共に、立ち上がり板４６の後端部４１ａが第２筐体５０の下端部におけるスライド溝５１の狭幅部５１ａ内に移動する。その結果、立ち上がり板４５の後端部４１ａが第２筐体５０の上端部におけるスライド溝５１の狭幅部５１ａに係合されると共に、立ち上がり板４６の後端部４１ａが第２筐体５０の下端部におけるスライド溝５１の狭幅部５１ａに係合される。これにより、１つの第１筐体４０の第２筐体５０への取り付けが完了する。
【００３３】
以上のように本実施形態の作業支援システム１００の表示器２０は、ピッキング作業又は仕分け作業が行われる作業場においてピッキング又は仕分けされる物品３２が収納されている棚３０の間口３１に設置され、ピッキング作業又は仕分け作業に関する作業情報を表示する。そして、表示器２０は、作業情報を表示する表示面が設けられた複数の第１筐体４０と、複数の第１筐体４０に対応して複数の第１筐体４０を取り付けるための複数のスライド溝５１が形成され、複数の第１筐体４０が並び方向に並べて取り付けられる第２筐体５０とを備える。そして、スライド溝５１では、幅が広い拡幅部５１ｂと幅が狭い狭幅部５１ａとが並び方向に隣接して位置し、複数の第１筐体４０は、それぞれスライド溝５１内において拡幅部５１ｂに係合された状態で並び方向の同じ向きに狭幅部５１ａにスライドさせることで第２筐体５０に取り付けられる。
【００３４】
このような構成により、間口３１毎に設置される１つの表示器２０が異なる作業情報を表示する複数の第１筐体４０つまり複数の表示面を有するため、１つの間口３１に対して異なる作業情報を表示させることができる。従って、複数の表示器２０を間口３１毎に設けることなく、つまり取り付けを煩雑にすることなく、複数の作業者が同時に異なる作業を行うことを可能にする作業支援システム１００の表示器２０を実現することができる。ここで、本構成においては、表示器２０の組み立てにおいて複数の第１筐体４０を第２筐体５０に取り付ける必要があるが、挿入及びスライドという簡易な作業により取り付けを行うことができるため、表示器２０の組み立てが煩雑になることもない。
【００３５】
また、第１筐体４０は第２筐体５０の幅広のスライド溝５１に係合させた後、幅狭のスライド溝５１にスライドさせて取り付けられるため、取り付け後の状態において第１筐体４０の係合部４１の第２筐体５０に対するスライド溝５１の幅方向（上下方向）の移動を制限することができる。このとき、取り付けにおけるスライドは複数の第１筐体４０で並び方向の同じ向きにされるため、第１筐体４０は隣接する第１筐体４０により並び方向の移動も制限される。具体的に、前面視で複数の第１筐体４０は並び方向の左に向けてスライドさせて取り付けられるため、第１筐体４０は右側の第１筐体４０により左に向けて押さえられることとなり、並び方向の移動が制限される。その結果、第１筐体４０の第２筐体５０に対する係合状態を強化し、第１筐体４０を第２筐体５０にロックさせることができ、第１筐体４０が第２筐体５０から外れることを抑えることができる。
【００３６】
以上、本発明の作業支援システムの表示器について、実施形態に基づいて説明したが、本発明は、この実施形態に限定されるものではない。本発明の要旨を逸脱しない範囲内で当業者が思いつく各種変形を施したものも本発明の範囲内に含まれる。
【００３７】
例えば、上記実施形態において、作業支援システム１００の表示器２０には、１つの第２筐体５０に対して５つの第１筐体４０が取り付けられるとしたが、２つ以上の第１筐体４０が取り付けられれば、５つに限定されるものではない。
【００３８】
また、上記実施形態において、作業支援システム１００の表示器２０には、作業情報を表示する表示面として点灯ランプ４４及び数量表示部４３を例示したが、作業情報を表示可能なものであれば、これに限られない。
【００３９】
また、上記実施形態において、作業支援システム１００の表示器２０には、第３筐体６０が設けられるとしたが、第３筐体６０は設けられなくてもよいし、また第１筐体４０と一体化されてもよい。
【産業上の利用可能性】
【００４０】
本発明は、工場及び倉庫等の作業場でのピッキング作業及び仕分け作業を支援するためのピッキング支援システムの表示器等に関する。
【符号の説明】
【００４１】
１０    制御部
２０    表示器
３０    棚
３１    間口
３２    物品
４０    第１筐体
４１    係合部
４１ａ    後端部
４１ｂ    後端面
４２    主板
４３    数量表示部
４４    点灯ランプ
４５、４６    立ち上がり板
５０    第２筐体
５１    スライド溝
５１ａ    狭幅部
５１ｂ    拡幅部
６０    第３筐体
６０ａ    開口
１００    作業支援システム
【図１】
2015134665.tif 000003
【図２】
2015134665.tif 000004
【図３】
2015134665.tif 000005
【図４】
2015134665.tif 000006